(57)【要約】【課題】複数種類の商品見本を収納し、他の商品見本の特質の影響が少なく、商品見本同士の特質を適切に比較することができる商品見本収納容器を提供する。【解決手段】商品見本収納容器１は、一部に開口部１１を有する外容器１０と、外容器１０内に開口部１１へ向けて進退可能に収容され、商品見本２を収納する内容器２０と、を備え、内容器２０は、商品見本２を視認可能な透光性部材により形成されている。【選択図】図１
0003224666.tif 000002
【実用新案登録請求の範囲】
【請求項１】
一部に開口部を有する外容器と、
前記外容器内に前記開口部へ向けて進退可能に収容され、商品見本を収納する内容器と、
を備え、
前記内容器は、前記商品見本を視認可能な透光性部材により形成されていることを特徴とする、商品見本収納容器。
【請求項２】
前記外容器には、前記内容器を前記開口部へ向けて押し出すための指挿入部が形成されている、請求項１に記載の商品見本収納容器。
【請求項３】
前記内容器は、前記外容器内に並列に複数収容されている、請求項１または請求項２に記載の商品見本収納容器。
【請求項４】
前記内容器は、弾性部材を介して、前記外容器と締結されている、請求項１から３のいずれか一項に記載の商品見本収納容器。
【請求項５】
前記内容器の進出側には貫通孔が形成されている、請求項１から４のいずれか一項に記載の商品見本収納容器。
【考案の詳細な説明】
【技術分野】
【０００１】
本考案は、商品を販売促進するための商品見本収納容器に関する。
【背景技術】
【０００２】
商品の販売促進手法の一つとして、販売店内に商品見本を収納して展示する商品見本収納容器が用いられている。これに関連する技術としては、例えば、見本収納容器の基材に折り曲げ線を入れた延長部を形成し、同延長部を折り曲げ線で折り曲げた時にできる折り曲げ部によって、同容器に見本取り出し用の穴を開け、その穴を塞ぐ蓋とすることができる商品見本収納容器が提案されている（特許文献１参照）。この種の商品見本収納容器は、一つの商品見本収納容器に一種類の商品見本を収納する形式の収納容器である。
【０００３】
また、見本および／ または用具を収納するトレーと、トレーの底部に固定する固定部とトレーの表面を蓋する蓋部とを一体的に構成した台紙とを備え、トレーは台紙によって保持されるべく構成した見本収納容器が提案されている（特許文献２参照）。この種の商品見本収納容器は、一つの商品見本収納容器に復数種類の商品見本を収納する形式の収納容器である。
【先行技術文献】
【特許文献】
【０００４】
【特許文献１】特開２００５−２９８０２０号公報
【特許文献２】実用新案登録第３１０６６００号
【考案の概要】
【考案が解決しようとする課題】
【０００５】
特許文献１の商品見本収納容器は、一種類の商品見本のみを収納する構造であるので、複数種類の商品見本を比較することはできなかった。これに対して、特許文献２の商品見本収納容器は、複数種類の商品見本を収納することができ、例えば、口紅、ファンデーション、アイシャドー等の化粧品見本同士の色合いを見比べることができる。
【０００６】
特許文献２の商品見本収納容器は、商品見本同士の特質の違いを視覚的に把握できる場合は対応可能である。しかし、商品の特質の違いが、例えば、香り等の臭覚的なものである場合には、単に商品見本を複数収納するだけでは商品見本同士の香り等が影響し合って、商品見本同士の特質を適切に比較することができない。
【０００７】
本考案の目的は、上記の課題に鑑みて、複数種類の商品見本を収納し、他の商品見本の特質の影響を少なくして、商品見本同士の特質を適切に比較することが可能な商品見本収納容器を提供することにある。
【課題を解決するための手段】
【０００８】
上記の課題を解決するために、本考案の一態様に係る商品見本収納容器は、一部に開口部を有する外容器と、上記外容器内に上記開口部へ向けて進退可能に収容され、商品見本を収納する内容器と、を備え、上記内容器は、上記商品見本を視認可能な透光性部材により形成されていることを特徴とする。
【０００９】
上記商品見本収納容器の構成において、上記外容器には、上記内容器を上記開口部へ向けて押し出すための指挿入部が形成されていることが好ましい。
【００１０】
また、上記内容器は、上記外容器内に並列に複数収容されていることが好ましい。
【００１１】
さらに、上記内容器は、弾性部材を介して、上記外容器と締結されていることが好ましい。
【００１２】
そして、上記内容器の進出側には貫通孔が形成されていることが好ましい。
【００１３】
本考案に係る商品見本収納容器によれば、複数種類の商品見本を収納し、他の商品見本の特質の影響を少なくして、商品見本同士の特質を適切に比較することができる。
【図面の簡単な説明】
【００１４】
【図１】本考案に係る商品見本収納容器の一実施形態の全体外観を示す斜視図である。
【図２】本実施形態の商品見本収納容器を上方から見た斜視図である。
【図３】本実施形態の商品見本収納容器における内容器の表面側の構造の斜視図である。
【図４】本実施形態の商品見本収納容器における内容器の裏面側の構造の斜視図である。
【図５】本実施形態の商品見本収納容器における外容器の裏面側の構造の概略図である。
【図６】本実施形態の商品見本収納容器の使用状態の説明図である。
【考案を実施するための形態】
【００１５】
以下、本考案に係る商品見本収納容器の一実施形態について詳細に説明する。なお、各図において、同一の符号を付したものは同一又は同様の構成を有する。
【００１６】
〔商品見本収納容器の構成〕
まず、図１から図５を参照して、本考案に係る商品見本収納容器の一実施形態の構成について説明する。図１には、本実施形態の商品見本収納容器１を組み立てた状態の全体外観が示されている。説明の便宜上、図１において、Ｘ−Ｚ方向を上下方向、Ｘ−Ｙ方向を左右方向と称する。図１に示すように、本実施形態の商品見本収納容器１は、外容器１０と、該外容器１０内に収容される内容器２０と、を主に備える。
【００１７】
外容器１０は、当該商品見本収納容器１の外観を画する部材である。本実施形態の外容器１０は、例えば、中空直方体状の箱体により構成されている（以下、「外箱１０」と称する）。外箱１０の構成材料としては、例えば、ボール紙等の厚紙が挙げられるが、これに限定されず、ポリエチレン・テレフタレート（ＰＥＴ）、アクリル（ＡＣ）、ポリカーボネート（ＰＣ）等の熱可塑性の合成樹脂シートで形成してもよい。外箱１０の表面には、例えば、「４種類の香り見本」などの商品の説明や図柄等を印刷することが好ましい。外箱１０に印刷を施すことを考慮すると、外箱１０は紙製であることが好ましい。また、外箱１０を厚紙で形成し、印刷面にラミネートフィルムを被覆してもよい。
【００１８】
外箱１０内には、商品見本２を収納する内容器２０が収容される。本実施形態の内容器２０は、例えば、中空直方体状の箱体により構成されている（以下、「内箱２０」と称する）。内箱２０の構成材料は、該内箱２０の内部に収納された商品見本２を視認することが可能な透光性部材によって形成されている。透光性部材としては、例えば、無色透明もしくは有色透明なポリエチレン・テレフタレート（ＰＥＴ）、アクリル（ＡＣ）、ポリカーボネート（ＰＣ）等の熱可塑性の合成樹脂シートが挙げられるが、例示した構成材料に限定されない。
【００１９】
本実施形態の外箱１０は、複数の内箱２０が左右方向に並列に収容可能となるように幅広の箱体として形成されている。各内箱２０は、外箱１０の開口部１１へ向けて進退可能に配される。内箱２０の進退方向を上下方向とした場合、内箱２０は、外箱１０内において、左右方向に並列に配されている。本実施形態では、外箱１０内に４つの内箱２０が収容されているが、内箱２０の数は４つに限定されない。
【００２０】
また、外箱１０の一部には、開口部１１が形成されている。本実施形態の開口部１１は矩形状を呈しており、外箱１０の下部の表面側に形成されている。この開口部１１は、外箱１０内に隠れて待機している内箱２０を進出させる部分である。開口部１１の背面１１ａには、各内箱２０内に収納された各商品見本２の説明等が印刷されている。
【００２１】
図２には、本実施形態の商品見本収納容器１を上方から見た状態が示されている。図１及び図２に示すように、外箱１０には、内箱２０を開口部１１へ向けて押し出すための指挿入部１２が形成されている。この指挿入部１２は、内箱２０の上端部を手指で押圧して開口部１１へ向けて押し出す際に、手指の先端を挿入するための切欠き部として形成されている。各指挿入部１２は、外箱１０の上面及び上部表面に連通するように二つのＵ字状切欠き部を直交させて向き合わせたような形状を呈している。また、各指挿入部１２は、各内箱２０が配されている位置に対応させて形成されている。したがって、内箱２０の数と指挿入部１２の数とは一致している。外箱１０の指挿入部１２には、内箱２０の上部（本実施形態では、上端部）が露出している。
【００２２】
図３には、本実施形態の商品見本収納容器１における内箱２０の表面側の構造が示されている。図３に示すように、内箱２０の進出側部分（本実施形態では、下側部分）には貫通孔２１が形成されている。本実施形態では、貫通孔２１は商品見本２の大きさよりも小さな孔径を有し、複数の孔が形成されている。商品見本２の大きさよりも小径の複数の貫通孔を形成することにより、商品見本２の特質が、例えば、香り等の嗅覚的なものである場合に香りを嗅ぐことができる。商品見本２の特質が色等の視覚的なものである場合には、貫通孔２１は必須の構成要素ではない。
【００２３】
図４には、本実施形態の商品見本収納容器１における内箱２０の裏面側の構造が示されている。図４に示すように、内箱２０の背面には紙片２２が内装され、この紙片２２には当該内箱２０内の商品見本２を識別するための識別番号２３が付されている。紙片２２の上部は折り曲げられて、内箱２０の上部にも内装されている。この内箱２０の上部に内装された紙片２２の部分には、「ＰＵＳＨ」の文字が記載されている（図２参照）。また、内箱２０の裏面下部には、上向きＵ字状の切込み部２４が形成されている。この切込み部２４には、弾性部材２５がその一部を通して引っ掛けるように取り付けられている。
【００２４】
図５には、本実施形態の商品見本収納容器１における外容器１０の裏面側の構造が示されている。図５に示すように、外箱１０の裏面上部には、下向きＵ字状の切込み部１４が形成されている。この切込み部１４には、内箱２０の裏面の上向きＵ字状の切込み部２４に取り付けられた弾性部材２５が引っ掛けるように取り付けられる。したがって、内箱２０と外箱１０とは、弾性部材２５を介して締結される。内箱２０の裏面下部に形成された上向きＵ字状の切込み部２４と、外箱１０の裏面上部に形成された下向きＵ字状の切込み部１４とは相反する方向を向いているので、弾性部材２５は外れにくい。
【００２５】
内箱２０は、弾性部材２５の縮長方向の弾性力によって、外箱１０内の初期位置（本実施形態では、上部位置）に待機するようになっている。弾性部材２５としては、例えば、安価なゴムが好適に用いられるが、スプリング等であっても構わない。
【００２６】
外箱１０の下向きＵ字状の切込み部１４に弾性部材２５を取り付けた後、当該外箱１０の裏面上には粘着シート１５が貼り付けられ、下向きＵ字状の切込み部１４から弾性部材２５が脱離しないように保護される。
【００２７】
さらに、粘着シート１５上には、商品見本収納容器１を吊り下げるための吊下部材３０が取り付けられている。吊下部材３０は、外箱１０から上方に張り出すように貼り付けられており、例えば、下向きコ字状に折り返すことにより、商品陳列棚の縁部等に引っ掛けることができるようになっている。また、吊下部材３０をクリップ等により挟み込んで、商品見本収納容器１を吊り下げてもよい。吊下部材３０は、耐久性を考慮して、例えば、ポリエチレン・テレフタレート（ＰＥＴ）等の合成樹脂材により形成されている。吊下部材３０の構成材料は、合成樹脂材に限定されず、ボール紙や金属フレーム等であっても構わない。
【００２８】
商品見本２としては、例えば、香りに特質のある固形入浴剤や固形芳香剤、固形洗剤などが挙げられる。また、色彩に特質がある商品見本２としては、口紅、ファンデーション、アイシャドー等の化粧品が挙げられる。商品見本２は、例示した見本に限定されず、内箱２０内には種々の商品見本２を収納することができる。図示した商品見本２は円形のタブレット状であるが、例示した形状に限られない。
【００２９】
〔商品見本収納容器の使用方法〕
次に、図１、図２及び図６を参照して、本実施形態の商品見本収納容器１の使用方法の一例について説明する。図６には、本実施形態の商品見本収納容器１の使用状態が示されている。
【００３０】
図１に示すように、本実施形態の商品見本収納容器１は、販売店の該当商品の売場近くにおいて、吊下部材３０を商品陳列棚の縁部等に引っ掛けて、上下方向に縦姿勢で展示される。外箱１０内には、複数の内箱２０が左右方向に収容されている。内箱２０内には、商品見本２が収納されている。ここで、商品見本２としては、例えば、円形タブレット状の芳香剤が挙げられ、各内箱２０内には異なる香りの芳香剤が収納されている。
【００３１】
初期状態においては、内箱２０は外箱１０内の上方に待機している。外箱１０の各指挿入部１２には、それぞれの部位に対応する内箱２０の上端部が露出している。これに対して、初期状態において、外箱１０の開口部１１内には内箱２０は存在しない。
【００３２】
消費者は、各商品見本（本実施形態では、芳香剤）２の香りを嗅ごうとする場合、図２及び図６に示すように、所望の内箱２０の上端部の「ＰＵＳＨ」と記載されている部分を手指Ｆで押圧して、当該内箱２０を開口部１１側へと押し下げる操作を行う。内箱２０の上端部を押し下げると、その押圧力が弾性部材２５を伸長させて、当該内箱２０の下部が開口部１１内に進出する。手指Ｆの押圧力を保持したままで、開口部１１に進出した状態の内箱２０の貫通孔２１に鼻穴を近づけると、商品見本２の香りを嗅ぐことができる。
【００３３】
そして、手指Ｆの押圧力を解除すれば、弾性部材２５の縮長方向の弾性力により内箱２０が上昇して、内箱２０は元の位置（初期状態の位置）に戻ることになる。
【００３４】
このように、消費者は、次々と内箱２０の押し下げ操作を繰り返すことにより、各内箱２０内に収納された異なる香りを比較することができ、好みの香りの商品を見付けることができる。商品見本２の特質が香り等の嗅覚的なものである場合、各内箱２０には貫通孔２１が形成されているため、他の商品見本２の香りが多少なりとも影響することが考えられる。しかし、外箱１０内に待機している状態の内箱２０の貫通孔２１は外箱１０の表面によって閉塞されるため、他の商品見本２の影響を低減することができ、消費者は選択的に所望の内箱２０内の商品見本２の香りを嗅ぐことができる。
【００３５】
以上、説明したように、本実施形態の商品見本収納容器１によれば、一部に開口部１１を有する外箱１０と、外箱１０内に開口部１１へ向けて進退可能に収容され、商品見本２を収納する内箱２０と、を備えるので、所望の内箱２０を開口部１１内へと進出させて、商品見本２の特質を選択的に確認することができる。また、内箱２０は、商品見本２を視認可能な透光性部材により形成されているので、商品見本２の特質を視覚的に把握することができる。
【００３６】
また、外箱１０には、内箱２０を開口部へ向けて押し出すための指挿入部１２が形成されているので、手指の先で内箱２０を開口部１１へ向けて進出させる操作を容易に行うことができる。
【００３７】
さらに、内箱２０は、外箱１０内に並列に複数収容されているので、一つの商品見本収納容器１において複数の商品見本２の特質を比較することができる。
【００３８】
そして、内箱２０は、弾性部材２５を介して、外箱１０と締結されているので、弾性部材２５の縮長方向の弾性力により内箱２０を待機位置（初期状態の位置）に戻すことができる。したがって、手指で内箱２０の押圧操作をしなければ内箱２０を開口部１１内へと進出させることができないので、選択的に内箱２０内の商品見本２の特質を確認することができ、他の商品見本２の特質に影響を受けにくい。
【００３９】
加えて、内箱２０の進出側には貫通孔２１が形成されているので、商品見本２の特質が香り等の嗅覚的なものである場合にも、商品見本２同士の特質を比較することができる。また、外箱１０内に待機している状態の内箱２０の貫通孔２１は外箱１０の表面によって閉塞されるため、選択的に内箱２０内の商品見本２の香りを確認する際に、他の商品見本２の香りの影響を受けにくい。
【００４０】
このように本実施形態の商品見本収納容器１によれば、複数種類の商品見本２を収納し、他の商品見本２の特質の影響を極力少なくして、商品見本２同士の特質を適切に比較することができるという優れた効果を発揮する。
【００４１】
〔他の実施形態〕
以上、本考案の好適な実施形態を説明したが、これらは本考案の説明のための例示であり、本考案の範囲をこれらの実施形態にのみ限定する趣旨ではない。本考案は、その要旨を逸脱しない範囲で、上記実施形態とは異なる種々の態様で実施することができる。
【００４２】
上記実施形態では、商品見本収納容器１が縦配置されているが、横配置してもよい。即ち、上記実施形態では、外容器１０の下部に開口部１１が存在し、内容器２０の進退方向が上下方向に設定されているが、これに限定されず、開口部１１を左右いずれか一方に設けて、内容器２０の進退方向を左右方向としても構わない。
【００４３】
また、上記実施形態では、外容器１０及び内容器２０が中空直方体状の箱体により構成されているが、該外容器１０及び内容器２０の形状は中空直方体に限定されない。
【００４４】
さらに、上記実施形態では、内容器２０に商品見本２よりも小径の貫通孔２１を複数開口しているが、貫通孔２１の口径を商品見本２よりも大径に形成し、商品見本２を取り出し可能として、商品見本２の質感を触覚的に確認できるように構成してもよい。このように商品見本２を取り出し可能に構成する場合は、キャンディー等の駄菓子の食品サンプルの試食に供することも可能である。
【００４５】
そして、上記実施形態では、内容器２０の全体が無色透明もしくは有色透明な熱可塑性の合成樹脂シートで構成されているが、これに限定されず、内容器２０の表面のみに合成樹脂シート等の透光性部材を配置し、他の５面をボール紙等の厚紙で構成してもよい。
【００４６】
加えて、上記実施形態では、外容器１０の下部に開口部１１を形成し、弾性部材２５の縮長方向の弾性力により外容器１０の上方に内容器２０を待機させているが、これに限定されず、外容器１０の上部に開口部１１を形成し、内容器２０が重力により外容器１０の下方に戻って待機するように構成してもよい。このように構成する場合は、弾性部材２５は必須の構成要素ではない。
【符号の説明】
【００４７】
１  商品見本収納容器、
１０  外容器（外箱）、
１１  開口部、
１２  指挿入部、
１４  切込み部、
１５  粘着シート、
２０  内容器（内箱）、
２１  貫通孔、
２２  紙片、
２３  識別番号、
２４  切込み部、
２５  弾性部材、
３０  吊下部材。
【図１】
0003224666.tif 000003
【図２】
0003224666.tif 000004
【図３】
0003224666.tif 000005
【図４】
0003224666.tif 000006
【図５】
0003224666.tif 000007
【図６】
0003224666.tif 000008